(57)【要約】【課題】ビジュアル・ディスプレイスクリーン構成画像をディスプレイするためにディスプレイ領域（３０）が提供されたＬＣＤスクリーン等のビジュアル・ディスプレイスクリーン（１００’）。スクリーンの端にデバイスドライバを含み、ディスプレイ領域（３０）は光学上不活性領域（６０）まで延びる。カバープレート組立体（４０）は、ディスプレイ領域（３０）をカバーする。カバープレート組立体は、層状であり、上部半透明のプラスチック層（５２０）は、ディスプレイ領域（３０）の上に平らであるが、レンズを提供するためにエッジでカーブしている。したがって、カバープレート組立体（４０）を通して見られるディスプレイ領域での画像は、スクリーン（１００’）のエッジにシフトされるように見え、光学上不活性領域（６０）が目に見えなくなる。
2004524551.tif 000002
【特許請求の範囲】
【請求項１】
画像をディスプレイするためのビジュアル・ディスプレイスクリーン構成であって、
ディスプレイ領域を有する画像ディスプレイ手段と、
ディスプレイ領域をカバーするために配置され、第１のカバー部材エッジを有する透光性カバー部材とを有し、ディスプレイ領域が前記第１のカバー部材エッジまでの方へ、しかしそこまで延びていないエッジを有しており、前記カバー部材が、
（ａ）  ディスプレイ領域の少なくとも一部分をカバーし、実質的に曲げなしで光線を通過するように配置され、大多数のディスプレイ領域が構成の外部に見え、前記略平らな部分を通して実質的に歪められていないように見えるようになっている略平らな部分と、
（ｂ）  前記第１のカバー部材エッジを含む屈折部分であって、ディスプレイ領域のエッジ又は隣接箇所から出ているそれらの光線のみを曲げるように配置され、前記ディスプレイ領域が構成の外部にあり、前記屈折部分を通して、カバー部材のエッジまで実質的に延びるように見えようになっている前記屈折部分と、を含む
ビジュアル・ディスプレイスクリーン構成。
【請求項２】
第２のディスプレイ領域を有する第２の画像ディスプレイ手段と、
第２のディスプレイ領域をカバーするように配置され、前記第１のカバー部材エッジに隣接して、使用中に位置される第２のカバー部材エッジを有する第２のカバー部材であって、第２のディスプレイ領域が前記第２のカバー部材エッジの方へしかしそこまで延びていないエッジを有しており、第２の画像ディスプレイ手段は、第２のディスプレイ領域内の第２の画像を提供するように配置され、それは、少なくとも前記第２のカバー部材の部分を通して見ることができる第２のカバー部材であって、該第２のカバー部材は、
（ａ）  第２の略平らな部分であって、少なくとも第２のディスプレイ領域の少なくとも一部分をカバーし、曲げなしで実質的に光線を通過させるように配置され、大多数の第２のディスプレイ領域が構成の外部に見られ、前記第２の略平らな部分を通して実質的に歪めらないように見えるようになっている第２の略平らな部分と、
（ｂ）  前記第２のカバー部材エッジを含む第２の屈折部分であって、前記第２の屈折部分は、第２のディスプレイ領域のエッジから、又は隣接部分から発するそれらの光線だけを曲げるように配置され、前記ディスプレイ領域が、構成の外部に見られ、前記第２の屈折部分を通して、第２のカバー部材のエッジまで実質的に延びるように見えるようになっている第２の屈折部分と、を備える請求項１に記載の構成。
【請求項３】
さらに、第１のディスプレイ領域内であって第１のカバー部材エッジと隣接し、第２のディスプレイ領域内であって第２のカバー部材エッジと隣接している両方に画像の一部を発生させるために配置される請求項２に記載の構成。
【請求項４】
その又は各々のカバー部材の略平らな部分が、その屈折部分とディスプレイ領域に対して実質的に同一平面上にある請求項１〜３に記載の構成。
【請求項５】
圧縮されるが、その又は各々のカバー部材エッジに隣接している領域だけであるように、前記画像をディスプレイするために配置される請求項１〜４に記載の構成。
【請求項６】
その又は各々のディスプレイ領域が、各々のカバー部材エッジに隣接する、カバー部材エッジから離れたディスプレイ領域又はその各々の解像度より高い解像度を有し、前記画像圧縮が前記カバー部材エッジに隣接するようになっている請求項５に記載の構成。
【請求項７】
その又は各々のカバー部材の略平らな部分がディスプレイ領域のその部分と境を接し、画像の展開された部分をディスプレイするために配置され、その又は各々の屈折部分が、各々のカバー部材エッジと隣接するディスプレイ領域のその部分と境を接し、画像の圧縮部分をディスプレイするために配置される請求項５又は請求項６に記載の構成。
【請求項８】
その又は各々のカバー部材エッジの屈折部分がそれを通して通過している光を曲げるレンズを形成するように作られる請求項１〜７の構成。
【請求項９】
その又は各々のカバー部材の屈折部分が、対応しているカバー部材エッジで、凸状の半径で形成され、その又は各々の前記レンズを形成する請求項８に記載の構成。
【請求項１０】
その又は各々のカバー部材の屈折部分は、他のカバー部材が形成される材料と異なる屈折率を有する領域を含む請求項８に記載の構成。
【請求項１１】
その又は各々のカバー部材が、層状の構造に形成される請求項１〜１０に記載の構成。
【請求項１２】
その又は各々のカバー部材が、ディスプレイ領域に隣接し、第１の材料で形成される下層と、第２の異なる材料で形成される上層と、上層と下層とに挟まれる偏光／補正層を備える請求項１１に記載の構成。
【請求項１３】
下層がガラスで形成され、上層が、プラスチック材料で形成される請求項１２に記載の構成。
【請求項１４】
その又は各々のカバー部材の屈折部分は、その上部プラスチック層から形成される請求項１３に記載の構成。
【請求項１５】
その又は各々のカバー部材エッジの屈折部分が、反射又は屈折被覆を含む請求項１〜１４に記載の構成。
【請求項１６】
第１の画像ディスプレイ手段と第１のカバー部材が一体に第１のスクリーン部材を形成し、第１のカバー部材エッジが第１の接合エッジを提供し、第２の画像ディスプレイ手段と第２のカバー部材とが一体に第２のスクリーン部材を形成し、第２のカバー部材エッジが第２の接合エッジを提供し、第１及び第２のスクリーン部材が第１の位置と第２の位置との間で可動であり、そこにおいて、第１のと第２の接合エッジは隣接し、第１と第２のスクリーン部材は、略同一平面上であり、第１のディスプレイ領域がユーザーに第１と第２の接合エッジの合流点の第２のディスプレイ領域が接するように実質的に見える請求項２に記載の構成。
【請求項１７】
第１及び第２のスクリーン部材を接続しているヒンジ手段をさらに含み、前記第１と第２の位置との間に折り曲げ可能に第１のスクリーン部材と第２のスクリーン部材を束縛する請求項１６に記載の構成。
【請求項１８】
第１のスクリーン部材と第２のスクリーン部材は、各々の液晶ディスプレイである請求項１６又は請求項１７に記載の構成。
【請求項１９】
請求項１〜１８のいずれか１項に記載ののビジュアル・ディスプレイスクリーン構成を含む自動車電話。
【請求項２０】
請求項１〜１９のいずれか１項に記載のビジュアル・ディスプレイスクリーン構成を含むディジタル計算機。
【発明の詳細な説明】
【技術分野】
【０００１】
本発明は、ビジュアル・ディスプレイスクリーン装置に関する。
【発明の開示】
【０００２】
多くの最新の電気的又は電子デバイスは、ビジュアル・ディスプレイを含む。たとえば、自動車電話、携帯型、及び特に掌で持つディジタル計算機の各々は、バックライト付の液晶ディスプレイ（ＬＣＤ）スクリーンを（一般的に）含む。各ケースで、このようなデバイスを小型化し、ポータビリティを増加させたいという願望は、ユーザに情報を与えるスクリーンが十分なディスプレイ領域を有することを確実にすることの必要性とバランスがとられる。自動車電話の分野では、インターネット・ページを見る技術の出現は、画面サイズを増加させるために更なる必要性を提供した。
それが属するデバイスより大きいスクリーンが物理的に提供されることができるが、このようなスクリーンは、ダメージに影響を受けやすく、デバイスの全体的なサイズを増加させる。さらに、たとえば、４５ｃｍ以上の高さと幅のより大きなスクリーンを形成する際に、実際的な困難がある。
【０００３】
特に電気的なスクリーンを使用するデバイスを有する他の問題は、アクティブ・ディスプレイ領域（すなわち、テキストと画像が通常画素のアレイによってディスプレイされる領域）が、必然的にスクリーンの全体的な領域より小さいことである。一般的に、スクリーンはガラスカバープレートを有し、またエッジを有し、それはカバープレートの部分を形成し、又は形成しないだろう。スクリーンを保護し、ガラス・カバープレートを機械的に支持するために、エッジは有限幅でなければならない。ＬＣＤで、エッジはいずれにしても液晶を含むために必要である。通常、ＬＣＤを駆動するのに必要なトランジスタと他の電子部品は、同様に、アクティブ・ディスプレイ領域に隣接して位置する。これは、ディスプレイのエッジがスクリーンのビューアに見えることを意味する。
【０００４】
特に見えるエッジ、又はスクリーン及びＬＣＤスクリーンのエッジに取り組むようにする多くのアプローチがとられた。ＪＰ−Ａ−０９０１８５０４６（カシオ計算機株式会社）は、それらに被さる屈折プレートを有する２つのディスプレイエレメントを備えたディスプレイデバイスを示す。拡散プレートは、屈折プレートに被さる。屈折プレートは、光線がディスプレイエレメントを横断することから光線を曲げ、２つの隣接プレートの間のギャップを明らかに閉じ、２つの小さいものからの大きいディスプレイを形成する。この構成の有する問題は、ディスプレイデバイスが屈折プレートの介在物によって、より複雑及び重くなるということである。
【０００５】
ＥＰ−Ａ−０，１７９，９１３（松下電器産業株式会社）は、代替アプローチを示す。ここで、光ガイドがＬＣＤ素子からディスプレイ表面まで光線を案内するために使用される。光ガイドが各々の画素に対して使用されるので、この構成は製造するのに高価である。
【０００６】
最後に、ＥＰ−Ａ−０，５５９，０７０はギャップを低減するための試みがなされたＬＣＤパネルを示す。アクティブ領域をエッジの物理的近傍に持ってくるために、ＬＣＤパネルはエッジで９０°曲げられる。そして、エッジシールとコンタクトは、スクリーンの表面から下に延びてギャップに関与しない。それでも、ギャップは（おそらく１−２  ｍｍ）低減されるだけであり、一方、これは、潜在的に隣接スクリーンを使用した大きなウォールディスプレイ対して適当であり、それはより小さい（たとえば手で持てる）スクリーンでも見える。さらに、ＥＰ−Ａ−０，５５９，０７０のスクリーンの製造は、『標準』ＬＣＤによるよりも非常に難しい。
【０００７】
従来技術を有するこれらの問題に取り組むことは、本発明の目的である。特に、しかし排他的ではなく、比較的小さい電子デバイスで使用するためのビジュアル・ディスプレイのディスプレイ領域を最大にすることが、本発明の目的ある。
【０００８】
本発明の第１の見地によると、ビジュアル・ディスプレイスクリーン構成が、画像をディスプレイするために提供される。その構成は、ディスプレイ領域を有する画像ディスプレイ手段と、ディスプレイ領域をカバーするために配置された、第１のカバー部材エッジを有する透光性カバー部材とを備え、ディスプレイ領域は、前記第１のカバー部材エッジのほうへ、しかしそこまでは延びていないエッジを備えており、カバー部材が、（ａ）ディスプレイ領域の少なくとも一部分をカバーし、実質的に曲げなしで光線を通過するように配置され、大多数のディスプレイ領域が構成の外部に見え、前記略平らな部分を通して実質的に歪められていないように見えるようになっている略平らな部分と、（ｂ）前記第１のカバー部材エッジを含む屈折部分であって、ディスプレイ領域のエッジ又は隣接箇所から出ているそれらの光線のみを曲げるように配置され、前記ディスプレイ領域が構成の外部にあり、前記屈折部分を通して、カバー部材のエッジまで実質的に延びるように見えようになっている前記屈折部分と、を含む。
【０００９】
既知のディスプレイスクリーン（たとえば液晶ディスプレイ又はブラウン管）を含むデバイスを有し、アクティブ・ディスプレイ領域は、デバイス自身の幅より本質的に小さい。液晶ディスプレイの場合、これは、エッジ・シールがカバー部材と本体との間に液晶を含むのに必要であるからである。側壁は、また、機械的保護を増加させるためにしばしば使用される。ブラウン管の場合、チューブが排気されなければならず、そのうえ、（画像を形成するための）チューブを渡る電子ビームのスキャンの範囲がチューブ自身の幅より小さくなければならないので、また側壁が必要である。したがって、２以上の既知のディスプレイがお互いに隣接して置かれるとき、目に見えるギャップが起こる。液晶ディスプレイで、この目に見えるギャップは、略幅３ｍｍで（市販の技術を有する）ある。このようなギャップは、特に、たとえば、自動車電話スクリーンに対して容認できず、それは、これより１桁大きいだけだろう。
【００１０】
本発明は、これらの問題を克服する。曲げられる構成の端に光だけを引き起こすことによって、一方、いかなる実質的曲げ又はゆがみもなく、エッジから除去する透光性カバー部材を通して伝送ができるようにし、ギャップが、構成に別個のレンズ又は複雑な修正を必要とすることなく見えなくなるために有効に作られることができる。スクリーン構成が互いに接している２つのパネルを含む点でこのような技術は特に有利である。ここで、それが他方に接するところであるその位置だけで、光が各々のパネルによって曲げられる場合、２つのパネルとの間の結合部は、明らかにほとんど見えなくなるように作られることができる。
【００１１】
特に好ましい実施形態で、ビジュアル・ディスプレイスクリーン構成が、さらに配置され、画像両方とも第１のディスプレイ領域内と隣接している部分を発生させ、第１カバー部材エッジに隣接し、第２のディスプレイ領域の中で、第２のカバー部材のエッジに隣接している。オブザーバがスクリーン構成（パネルの平面に角度で構成を見ることによって、たとえば）を有する、完全なアライメントから移動するとき、この技術はギャップの可視性を低減する。
【００１２】
ディスプレイ領域でディスプレイされるとき、画像が各々のパネル・エッジに隣接して圧縮されることは、好ましい。このためのいくつかの方法がある。１つの好ましい実施形態で、その又は各々のディスプレイ領域は、特に、各々のパネル・エッジから離れたその又は各々のディスプレイ領域のピクセル解像度より高い。個々のピクセル解像度に隣接するピクセル解像度より高い解像度を有する。代替えとして、画像は、次に各々のパネル・エッジに隣接する画素に圧縮する必要なく電子的に圧縮されるだろう。圧縮は、たとえば、レンズ構成を通して、光線の曲がり影響をゆがめるために補正ができるようにするのに有効である。
【００１３】
好ましくは、その又は各々のカバー部材の略平らな部分は、比較的より低い解像度を有するディスプレイ領域の部分と境を接し、その又は各々の屈折部分は、前記比較的より高い解像度を有する各々のカバー部材エッジに隣接してディスプレイ領域のその部分と境を接する。言い換えると、カバー部材の非湾曲部分は、比較的低い解像度画素上を被さり、一方、カバー部材の部分を曲げている光は、比較的高い解像度画素上を被さる。
【００１４】
好ましい実施形態で、その又は各々のカバー部材の屈折部分は、レンズ、たとえば、それを通して通過する光を曲げるための凸レンズを形成するように作られるカバー部材エッジで形成される。高屈折率材料でパネル・エッジ又は他の材料の混合をコートすること等の、光を曲げるための他の技術が、また、使用されるだろう。
【００１５】
好ましくは、カバー部材は、たとえば、ディスプレイ領域に隣接し第一の材料で形成される下層、第二の異なる材料で形成される上層、上層及び下層にはさまれる偏向／補正層の層状の構造として形成される。その場合、下層はガラス、上層はプラスチック材料で形成されるだろう。これは、構成のためのかなり単純な構造を可能にする。『標準』ＬＣＤは、ガラス層にいかなる変化もなく作られることができる。プラスチック層は、次に頂部が積層され、そのエッジはたとえばエッジ曲げられる光を提供するために面取りされる。したがって、ガラス層（それは、繊細な構造を含むだろう）は機械加工される必要がない。
【００１６】
カバー部材によるこのような好ましい特徴に逆らうことなく、それは理解される、
カバーし、覆い、又は、ＣＲＴの本体又はスクリーン又は半透明パネル及び／又はエッジ・シール及び／又は他のＬＣＤなどの電子ディスプレイの本体部分等の画像ディスプレイ手段のディスプレィエリアの一部を提供するいかなる物的特長又は物理的特長の一部を意味する。特に、カバー部材は、ディスプレイの能動素子を含むだろう。
【００１７】
本発明の更なる見地によると、第１のアクティブ・ディスプレイ領域と第１の接合エッジを有する第１のスクリーン部材と、第２のアクティブ・ディスプレイ領域と第２の接合エッジを有する第２のスクリーン部材とを備える電子デバイスのためのビジュアル・ディスプレイスクリーン構成が提供され、第１及び第２のスクリーン部材が第１位置と第２の位置との間で可動であり、第２の位置で、第１及び第２の接合エッジが隣接し、第１及び第２のスクリーン部材が、略同一平面上にあり、第１及び第２の接合エッジの合流点で、第１のアクティブ・ディスプレイ領域は、実質的に第２のアクティブ・ディスプレイ領域に接するようにユーザに見える。
【００１８】
本発明の構成は、２以上のより小さいスクリーン部材の併置を通して提供される１つの大きいビジュアル・ディスプレイ領域を容認する。２以上のスクリーン部材のアクティブ・ディスプレイ領域は、２以上のスクリーン部材の間の接合エッジで出会う、又は、少なくとも、出会うように見える、好ましい実施形態で、ビジュアル・ディスプレイスクリーン構成が通信する電子デバイスが、別個に２つ以上のスクリーン部材をアドレッシングし、両方又は各々スクリーン部材にまたがって、単一の画像（たとえば）がディスプレイされるだろう。
【００１９】
好ましい実施形態で、構成は、第１及び第２のスクリーン部材を接続しているヒンジ手段をさらに含み、第１及び第２の位置との間で折り曲げ可能に第１のスクリーン部材と第２のスクリーン部材を束縛する。
【００２０】
このような構成は、小さな、自動車電話、ビデオカメラ又はいわゆる「パームトップ」コンピュータ等のハンドヘルドのデバイスに特に有利である。使用中でないとき、本発明の構成を有するデバイスの全高と幅は、以前よりもはや必要ではない。スクリーン構成を広げることによって、しかし、それが通信する電子デバイスより非常に大きい複合のスクリーンが提供されるだろう。たとえば、１５−２０ｃｍ幅（３−５ｃｍの標準幅ではなく）の複合のスクリーンを有する自動車電話の利点は、特にインターネット・アクセスを有する電話に対して明らかである。
【００２１】
好ましくは、スクリーン部材は、各々の液晶ディスプレイである。第１及び第２スクリーン部材は、各々カバー・ピースを有するスクリーン部材本体を含むだろう。あるいは、単一のカバー・ピースは、両方のスクリーン部材によって共有されるだろう。各々のカバー・ピース又は代わりに各々スクリーン部材本体は、次に、各々前記第１及び第２接合エッジに沿って好ましくはレンズを形成し、第１及び第２アクティブ・ディスプレイ領域のエッジの明白な位置をシフトするために配置され、それらが互いに実質的に接するようにユーザに見えるようになっている。この構成を有するアクティブ・ディスプレイ領域がスクリーン部材のエッジの右まで広がらないところさえ、（たとえば、液晶ディスプレイを有するケースであるとき）レンズ構成は、接合エッジ中を通過している光を曲げる。スクリーン構成より上から見られるとき、別個のアクティブ・ディスプレイ領域の複数は、擬似連続的な１つのアクティブ・ディスプレイ領域としてユーザに見える。
【００２２】
本発明の第３の見地に従うと、ビジュアル・ディスプレイスクリーン構成が画像をディスプレイするために提供され、パネルを含み、光を曲げる領域を備え、画像ディスプレイ手段は、パネルの下に位置するディスプレイ領域を有し、ディスプレイ領域は、パネル領域の主要な部分を横切って延びるが、ディスプレイ領域で少なくとも１つの不活性ゾーンを含み、その又は各々の不活性ゾーンがパネルで領域を曲げる前記光の下に、実質的に位置し、光曲がり領域が配置され、通過光線が曲げられ、ディスプレイ領域内の形成され、パネルを通して見られる画像が不連続なしで実質的に不活性ゾーンを横切って延びるように見える。
【００２３】
本発明は、多くの方法において実現されるだろう、これらのいくつかは例としてのみ、以下の図面を参照して説明される。
【発明を実施するための最良の形態】
【００２４】
最初に図１に言及する。図１は概略的に共通の尺度を有する２つの従来技術液晶ディスプレイパネル１０、１０’のエッジを通したかなり概略した断面図である。各々のＬＣＤパネルは、（一般的に反射鏡、第１のガラス・プレート、第１の極性部材及びバックライト必要に応じて含む）支持基板２０を含み、上にはガラス・カバープレート４０が取り付けられている。アクティブ・ディスプレイ領域３０を形成するボリュームが、支持基板２０とガラス・カバープレート４０に挟まれている。液晶と共に、当業者に周知のように、アクティブ・ディスプレイ領域３０は、複数の電極を含む。
【００２５】
パネルに機械的保護を提供する側壁５０によって、パネル１０、１０’は結合されているだろう。上に一般的に保護層を有するエポキシのエッジ・シールによって、液晶はまた、アクティブ・ディスプレイ領域３０内に含まれる。これの結果として、使用されることができないＬＣＤパネルのエッジに隣接した領域がある。現状のＬＣＤパネルで、この光学上不活性領域６０は、一般的に幅１〜１．５ｍｍである。
【００２６】
光学上不活性領域６０のため、たとえ２つのＬＣＤパネル１０、１０の保護側壁５０が互いに接しても、幅およそ３ｍｍの最小の全不活性領域が存在する。
【００２７】
したがって、互いに隣接して２つのＬＣＤパネルを置くとき、可視ギャップは２つのアクティブ・ディスプレイ領域との間に明らかに識別できる。かなりの「継目」は、容認できず、従来技術構成は、したがって、一体に置かれるより小さいスクリーンのアレイから、より大きいスクリーンを作成することに不適当である。
【００２８】
図２は、本発明を具体化する２つのＬＣＤパネル１００、１００’のエッジを通した、かなり概略された断面図を示す。図１と図２に共通の特徴は、同じ参照符号でラベル付けする。
【００２９】
図２の構成で、図１のフラットな、略平らなカバープレート組立体４０の代わりに、カバープレート組立体１４０はそのエッジで代わりにカーブし、そこで、保護側壁５０を接合する。カーブしたエッジ１５０は、レンズ及び屈折光として図２で点線で見られるように機能する。これは、次に可視のギャップの明白な幅を低減する影響を有する。半径を有するエッジ１５０は、また、ダメージにより影響されにくい。
【００３０】
図３及び５は、さらに詳細なエッジ幾何学的形状を示す。再び、図１、２、３と５に共通の特徴は、同じ引用符号でラベルがつけられている。図３で見られるように、カバープレート組立体１４０は、図３の例での凸形の屈折領域１４４と略平らな領域１４２との２つの別個の領域に分割されることができる。カバープレート組立体１４０は、ディスプレイ領域３０を有するメインディスプレイ領域２５を覆い、それは、双安定性液晶、ポリマー、双安定性（Ｉ−ｉｎｋ（商標））その他同様のものであろう。ディスプレイ領域内には、構成がさらに詳細に下で説明される複数の画素５５ａ、５５ｂ、５５ｃが存在する。エッジ・シールとエッジ保護を含む。光上不活性領域６０から離れて配置される画素５５ａからの光は、カバープレート組立体１４０のプレーナ領域１４２を通して、通路によって方向で実質的に不変である。これは、光線７２によって図３で示される。対照的に、たとえば、光学上不活性領域６０により近い。画素５５ｂからの光は、光線７４で見られるように、カバープレート組立体１４０の領域１４４で屈折されて曲げられる。
図３も、たとえば、バックライト１６０等の、ディスプレイのために必要な材料と部材との間に挟まれた支持基板２０を示し、同様に、カバープレート組立体１４０は、ディスプレイのために必要な部材を含んでいる材料を挟むことができる。
【００３１】
エッジを半径の形に作る方法は、エッジに現れる画像という結果になる。カーブした表面１５０から生じている大きさのゆがみに対して補正するために、画素は、光学上不活性領域６０と隣接する主なディスプレイ領域２５の領域ＢとＣで圧縮されている。領域１４４を屈折させる形によって、ピクセル解像度は、徐々に増加又は急に増加するだろう。
【００３２】
領域Ｃは、画像反復ゾーンである。これは、不活性領域領域６０に隣接して、直接に提供される。これの目的は、図１０ａと１０ｂとに関連して下で説明される。主なディスプレイ領域Ａの残りは、比較的低い解像度画素５５ａを含む。好ましい実施形態で、画素５５ａの画素スペーシングは、より密接にパックされたを画素５５ｂ、５５ｃと、’標準的な’ＬＣＤパネルでのスペーシングと同じものであるだろうことが理解されるだろう。しかし、製造の容易さのために、各々の別個の画素が等しくスペースを入れられるディスプレイ領域２５を使用すること、及び画像を電子的に圧縮するか、たとえば、並んだ領域Ａの２つの隣接した画素をアドレッシングし、一方、領域ＢとＣとで別個に各々の分離ピクセルをアドレッシングするためのいずれかがその代わりに可能である。後の構成で、領域Ａの中の画素の各々の対は、単一のより大きい画素として機能する。
【００３３】
スネルの法則を使用して、半径が形成されたエッジ１５０の幾何学的形状が推定されることができる。図５は、カバープレート組立体１４０の一部として提供される低い屈折率を有するガラスを有する、「最悪のケース」シナリオの幾何学的形状を示す。提供される寸法が一例としてのみであることと、寸法が用途と材料への広く可変依存事項であることがここで強調される。屈折率がより高くなると、カバープレート組立体は光学上不活性領域６０の所定の幅に対して薄いことが必要である。１．５の公称屈折率を有する０．７ｍｍの厚さのガラス（ＬＣＤに対して代表的）を使用し、０．５ｍｍの半径を有する半径が付けられたエッジ１５０を有する場合、カバープレート組立体１４０がカーブしていなければならない横向距離は、０．３８ｍｍである。液晶の頂点のエッジとシール幅は、エッジ削りのない８０μｍに対して、２２０μｍ以上である。７５ドット／インチ（３０ドット／インチ）の画面解像度に対して、光学上不活性領域６０にすぐに隣接する画素だけが、より近い行間隔の必要がある。
【００３４】
図４は、ドライブに図２の２つのＬＣＤパネルを使用したエレクトロニクスの概略平面図を示す。各々のパネルが、フレーム２００の上で形成される。ディスプレイ内のトランジスタをアドレッシングするためのドライバ回路は、２つのパネルの保護側壁５０によって画成される結合部ではなくむしろスクリーンの２つの側部のみで提供される。ドライバ回路がディスプレイの下でその代わりに位置されることができることが、もちろん、理解される。
【００３５】
図６は、アクティブ・ディスプレイ領域内の画素の構成の更なる断面図を示し、ピクセル解像度が光学上不活性領域６０の近傍で増加されることに再び注意をされたい。図６の構成も、目的が図１０ａと１０ｂと関連してさらに説明されるいわゆる繰返し画素を含む。これに対して、図７は、画素のローを表す水平ラインを有する、発明を具体化した構成の画素構成の概略平面図を示す。図７で、図６の繰返し画素は示されない。
【００３６】
図８ａと９は、図２の２つのＬＣＤの各々のアクティブ・ディスプレイ領域で形成される例示的な画像を示し、所定の位置に各々レンズがないもの及びあるものである。それが不活性領域に接近するとき、アクティブ・ディスプレイ領域での画像が圧縮されることに、図８ａと９の比較から注意されたい。レンズが可視ギャップと圧縮画像に対して補正し、ギャップが実質的に見えなくなるよになっており、ユーザによって実際見られる画像は歪められない。
【００３７】
技術を証明するために、図８ａでたとえば示される画像を発生させ、白い紙上に印刷した。面取りされたエッジが接するように、各々の面取りされたエッジを有する２つのパースペックス・ブロックが一体に置かれた。印刷物は、図８ａで示されるライトボックスと可視のギャップを通してバックライトされ、図９の薄いほとんど目に見えないラインに低減された。
【００３８】
使用される寸法は、次の通りだった：パースペックス・ブロックの厚さ＝９．２ｍｍ；エッジ＝４．６ｍｍ（曲率半径５０°の弧に対する）；パースペックスの屈折率＝１．４５。画像は、０．９ｍｍの繰返しストリップ及び２．２ｍｍの圧縮ストリップによって囲まれる黒い３．０ｍｍのギャップで形成された（図１０ａと１０ｂと関連して下に説明するように）。この概略図画像構造は、図８ｂで示される。
【００３９】
上述の説明は、略カバープレート組立体１４０のプレーナ部分に対して垂直に入射する光屈折光線で説明した。すなわち、スクリーンに顔を向けて見る時である。これに対して、オブザーバがスクリーンに完全なアライメントから移動するとき、特定の予防措置がとられないならば、ギャップはより可視化する。これは、図１０ａと１０ｂに関して説明されるだろう。それは、パネルの平面と垂直に及び別個に各々所定の角度のときの、図２のパネル構成のカバープレート組立体１４０のための光線図を示す。図１０ａにおいてまず、仮想の点Ａを考える。上から直接に見るとき、この仮想の点は、アクティブ・ディスプレイ領域３０内の位置Ａで画素によって実際にディスプレイされている。しかし右へのオブザーバが右に移動するとき、図１０ｂで示すように、仮想の点Ａは、２つのＬＣＤパネル１００、１００の各々の保護側壁５０によって画成される結合部の後に、次に移動する。これを克服するために、ＬＣＤパネル１００のアクティブ・ディスプレイ領域３０でディスプレイされる画像の部分は、他のＬＣＤパネル１００のアクティブ・ディスプレイ領域３０’で繰り返される。図１０ｂでの仮想の点Ａは、右回りのＬＣＤパネル１００’の替わりに次に位置Ａ’’で画素によってディスプレイされる。言い換えると、右回りのＬＣＤパネル１００’のアクティブ・ディスプレイ領域３０で、エッジは、左のＬＣＤパネル１００のアクティブ・ディスプレイ領域３０から、一般に見られる部分を突き出している。結合の両側に画像を繰り返すことによって、ＬＣＤパネル１００、１００の保護側壁５０が接するところで、垂直から離れてスクリーンを見るときでも、視点は結合部が見えない。このような構成を使用すること、結合部の前のスクリーンのディスプレイの角度は、可視になる約２０°にもディスプレイ領域３０への軸垂直を中心として約８°から増加させることができるその軸の側。反復の量は、可変である。たとえば、図８ｂのテスト構成は、４０％の反復を使用する、すなわち、より低い圧縮ストリップＢの画像の上部４０％は、上部繰返しストリップで繰り返され、逆もそうである。パーセンテージを増加させることは、より良い視角を与えるが、よりせまいギャップと言う結果になる。
【００４０】
次に図１１ａ〜１１ｃに言及すると、ＬＣＤの不活性領域のまわりで、光を屈折させるための異なる構成が示される。図１１ａの構成で、半径のついたエッジ１５０の上に形成される低い屈折率材料２２０を有する２つの材料が使用される。前に、説明したように、屈折率が高いと、レンズが不活性領域の所定の幅に対して必要なレンズが薄くなる。
【００４１】
屈折のより高い程度を達成するために、２つの接合点が同様に又は替わりに使用されるだろう。たとえば、図１１ｂで示すように、低い屈折率材料２３０の領域が、支持側壁に隣接して使用されるだろう。図１１ｃで、アンダカット・エッジが、光線を偏向させるために提供されるだろう。他の考察の中で、形の特別な選択肢は、許容されると考えられる反射の最大の程度によって決まる。カバープレート組立体１４０のアンダカット・エッジによって規定される領域は、たとえば、樹脂等の材料を有する充てんされるだろう。代替構成でさらに、図１１ｂで示される類似態様で、材料はアクティブ・ディスプレイの上に直接に位置することができた。一般に、カバープレート組立体１４０の厚さを最小にするために、半透明の部分が１．６を越える屈折率を有する比較的重いフリントガラス等の、材料で形成されることは、望ましい。パースペックス又は軽量ガラス・コートされたプラスチック材料等の他の材料が、その代わりに使用されることができた、費用をセーブするために、しかし、より低い屈折率を有し、比較的より厚い必要がある。
【００４２】
図１２は、発明の更なる見地を具体化しているＬＣＤスクリーン構成を通した、断面図を示す。図１２の構成は、別個の支持基板２０を有する２つの別個のパネルと、液晶又はＣＲＴ画素を含み、不活性領域６０によって分離するされた２つのアクティブ・ディスプレイ領域３０と、保護側壁５０と、別個のパネル・カバー４５で形成されるが両方のパネルをおおっている単一のスクリーン・カバー４７を有するカバープレート組立体１４０と、を含む。図２−１１の実施形態と対照的に、構成は、折り曲げ可能を意図するものではない。それは、単一のスクリーンがアクティブ・ディスプレイ領域３０の両方にわたるために、カバー４７がその代わりに提供される。２つのウェッジ型リセス２５０、２５０は、スクリーン・カバー４７のベースに切り込まれ、側壁５０によって形成された結合部の何れの側のレンズとしても機能する。他の実施形態と同様に、不活性領域６０に隣接するアクティブ・ディスプレイ領域の一端で形成された画像の部分は、結合の再び領域で直接に不活性領域６０に隣接して他側の上で繰り返すことが好ましい。前の実施形態と同様に、画素スペーシングは、隣接不活性領域６０を低減する。
【００４３】
たとえ図１２の構成が折り曲げ可能でないとしても、それが大きい混成のスクリーンが、本質的に目に見えない継目又は継目を有する、より少ないスクリーンのアレイから形成されることをできるようにするという点で、それはまだ有利である。単一の大領域ディスプレイの製造が困難な、特にＬＣＤのために有利である。
【００４４】
次に図１３に移るが、ビジュアル・ディスプレイスクリーン構成の更なる実施形態が示される。説明の容易のために、カバープレート組立体１４０、（抽象的に、略平らな部分１４２と屈折させている部分１４４に分割されている）だけが示される。しかし、主なディスプレイ領域と支持基板がカバープレート組立体１４０の下に一般的に配置されると理解される。
【００４５】
図５の実施形態に対して、カバープレート組立体１４０は、好ましくは多層で構成される。メイン画面領域（図示せず）に隣接する下層５００は一般的にガラスで形成される。その頂部上は、偏光／補正材料の薄いサンドイッチ層５１０である。最後に、堅いプラスチック材料の上層５２０は、薄いサンドイッチ層５１０の頂部に横たわる。
【００４６】
ガラス下層５００と薄いサンドイッチ層５１０の偏光／補正材料は、光が曲がることを引き起こすためにいかなる手段もない「標準」形であるように見られるだろう。その代わりに、光屈折を引き起こすカーブしたエッジを含む可塑性の上位層５２０であろう。
【００４７】
多くの利点が、この構成にはある。第１に、カバープレート組立体１４０の全体的な重さと、したがって、ビジュアル・ディスプレイスクリーンは、固体のガラス・カバープレート組立体と比較して、全体として低減される。数グラムが重要であろう。これは特にＰＤＡ又は自動車電話等の軽量デバイスで望ましい。第２に、図１３の層状の構造は、可塑性の上位層５２０が、カバープレート組立体の端の全ての形作りもできるようにし、ガラス下層５００での又はの近く全ての敏感なコンポーネントから良好に除去する。最後に、それは従来技術と比較して静止した更なる製造の複雑さを低減する。従来のＬＣＤの頂部は、すでにガラスのラミネーションと約０．６ｍｍの厚さのパネルを形成している偏光／補正材料を含む。したがって、パースペックス薄板は、エッジ形成の前か後のいずれも、単にこの頂部の上に置かれ、図１３の混成のカバー部材を達成する。
【００４８】
もちろん、特により必要とされない反り量を作る屈折率に関して、カバープレート組立体も提供している単一のガラス薄板もその利点を有することが、理解されることになっている。
【００４９】
デバイスのための好適な寸法は、図１３にセットされる。これらの値は、ガイダンスのためのみであり、それは、所定の値のスケーリングを導くために認識される幾何学的な構成を提供する。
【００５０】
最後に図１４ａ−１４ｄについて説明する。図２−１３の構成のための例示的ないくつかの用途を示す。図１４ａは、キーボードを有するボディ部３０と２つのＬＣＤスクリーン部分３１０と３２０から形成されるスクリーンを備える第１の自動車電話３００を示す。各々キーボードと略同様の寸法である。スクリーン部分は、ヒンジ（図示せず）によってお互いと比較して折り曲げ可能であり、第１の閉じられた位置で、カバープレート組立体は互いに接触する。使用中でないとき、これはスクリーン部分３１０、３２０を保護する。図１４ａで示す第２の開位置で、２つのスクリーン部分は、互いに離れるように折られる。異なって各々のスクリーン部分３１０、３２０をアドレッシングすることによって（この技術は、当業者に周知である）、図に見られる複合の画像図が、次に形成され、これは全部のスクリーンを充てんするために結合３２５を横切って延びる。
【００５１】
図１４ｂは、３つのスクリーン部分３４０、３５０、３６０を含む折り曲げ可能なスクリーンを有する、第２の自動車電話３３０を示す。中央スクリーン部分３５０が自動車電話の本体に固定された関係で取り付けられると、左右の部分３４０、３６０はそれに関連して折り曲げ可能である。したがって、第１の位置で、そのカバープレート組立体が互いに直面するように、左のスクリーン部分３４０は中央スクリーン部分３５０に対して折られる。その後、右回りのスクリーン部分３６０は、左のスクリーン部分３４０の後部に折り重ねられ、右回りのスクリーン部分３６０のカバープレート組立体が左のスクリーン部分３４０を支える基板２０に直面するようになっている。開けると、複合のスクリーンは２つの結合３７０、３８０を有する３つの部分を有する。図２〜１３の１及び２部分スクリーン構成で説明された、３部分スクリーン構成の原理は正確に同じものである。明らかに、中央スクリーン部分３５０は、両側に作られたエッジを必要とする。その場合、支持基板の下に中央スクリーン部分３５０をアドレッシングするためのドライバ回路を有することは、望ましいだろう。しかし、中央スクリーン部分３５０が電話の本体に取り付けられるので、これは問題でない。
【００５２】
図１４ｃは、接触画面キーボード４００を有する折り曲げ可能な接触画面デバイス３９０を示す。広げたとき、このデバイスはテーブルに位置する平らな部分ができ、したがって、ラップトップコンピュータよりも出っ張らない。デバイス３９０は、電子ブックとして、使用されることができ、その場合、仮想キーボードはスイッチが切られるだろう。ディスク駆動機構４１０は、また、情報がアップロードされてとダウンロードされることをできるようにするために提供されるかもしれない。
【００５３】
最後に、図１４ｄはＰｓｉｏｎ（登録商標）  Ｏｒｇａｎｉｓｅｒ（商標）に同様の代表的なラップトップコンピュータを示す。スクリーンは２つの部分であり図１４ａのモバイル・ホンと同様に折り曲げ可能である。
【００５４】
上述の説明は、より小さいスケールのスクリーンそして特に液晶ディスプレイに焦点を合わせているが、本発明はそれに限定されないと理解されるべきである。たとえば、双安定又は電界発光ディスプレイは、隣接ディスプレイの間のパネル・ギャップでの光の曲がりを最小にするのに、材料、コーティング又は構造の形成の使用に同様に影響されやすい。さらに、大きい公共区域（たとえばショッピングセンター）のための巨大なディスプレイを形成するために、互い隣接して置かれる多重テレビ又はビデオスクリーンの使用が知られている。一般的に、各々のビデオ又はテレビジョンスクリーンは、およそ６００ｍｍの対角線のスクリーン寸法を有する。スクリーンのまわりで必要な追加のハードウエアのため、通常隣接スクリーン間にかなりのギャップが存在する。これは、擬似−連続ディスプレイを形成するためにレンズを使用して、再び最小にされることができる。この場合、画像圧縮は画素を移動することなく電子的に達成されるかもしれない。このような構成も、それを示すそれは、単一に形成するために使用されうる、複数のより小さいスクリーンが複合のより大きいスクリーンは、本質的に無制限である。
【図面の簡単な説明】
【００５５】
【図１】図１は２つの従来技術液晶ディスプレイ（ＬＣＤ）パネルを互いに隣接して置いたときの、エッジを通した、極めて概略的な断面図である。
【図２】図２は、各々が、互いに隣接して置かれたディスプレイ領域とレンズを備える２つのＬＣＤパネルのエッジを通した、極めて概略的な断面図であり、本発明の１つの見地を具体化している。
【図３】図３は図２のＬＣＤパネルの１つのエッジを通した断面図をさらに詳細に示す。
【図４】図４は概略平面図を示し、エレクトロニクスはドライブに図２の２つのＬＣＤパネルを使用している。
【図５】図５は図３のパネル構成のために好適な寸法を示し、ベースのオン計算がスネルの法則を使用した計算をベースにしている。
【図６】図６は、繰返す画素を含む、図２のＬＣＤ画素の位置を示す図である。
【図７】図７は、図２の装置で画素構成の概略平面図を示し、画素スペーシングが、図６の繰返し画素なしで、構成のエッジに向かってどのように減るかを示す。
【図８Ａ】図８ａは、レンズなしの、図２の２つのＬＣＤの各々のディスプレイ領域で形成される画像を示す。
【図８Ｂ】図８ｂは、繰り返されたストリップを有するが、図８ａの画像の大規模モデルに対する好適な寸法を示す。
【図９】図９は、レンズを有する図２の２つのＬＣＤの各々のディスプレイ領域で形成される画像であり、上から見た図である。
【図１０ａ】図１０ａは、図２のパネル構成のために光線図を示し、各々、パネル平面に対して垂直及びそれに対して所定の角度である。
【図１０ｂ】図１０ｂは、図２のパネル構成のために光線図を示し、各々、パネル平面に対して垂直及びそれに対して所定の角度である。
【図１１】図１１ａは、本発明の１つの見地の代替実施形態を示す。
【図１１】図１１ｂは、本発明の１つの見地の代替実施形態を示す。
【図１１】図１１ｃは、本発明の１つの見地の代替実施形態を示す。
【図１２】図１２は、本発明の更なる見地を具体化しているビジュアル・ディスプレイスクリーン構成を示す。
【図１３】図１３は、本発明に従うビジュアル・ディスプレイスクリーン構成の更なる実施形態を示す。
【図１４ａ】図１４ａは、図２〜１３のビジュアル・ディスプレイスクリーン構成のための用途を示す。
【図１４ｂ】図１４ｂは、図２〜１３のビジュアル・ディスプレイスクリーン構成のための用途を示す。
【図１４ｃ】図１４ｃは、図２〜１３のビジュアル・ディスプレイスクリーン構成のための用途を示す。
【図１４ｄ】図１４ｄは、図２〜１３のビジュアル・ディスプレイスクリーン構成のための用途を示す。
【図１】
2004524551.tif 000003
【図２】
2004524551.tif 000004
【図５】
2004524551.tif 000005
【図８Ａ】
2004524551.tif 000006
【図８Ｂ】
2004524551.tif 000007
【図１１】
2004524551.tif 000008
【国際公開パンフレット】
2004524551.tif 000009
2004524551.tif 000010
2004524551.tif 000011
2004524551.tif 000012
2004524551.tif 000013
2004524551.tif 000014
2004524551.tif 000015
2004524551.tif 000016
2004524551.tif 000017
2004524551.tif 000018
2004524551.tif 000019
2004524551.tif 000020
2004524551.tif 000021
2004524551.tif 000022
2004524551.tif 000023
2004524551.tif 000024
2004524551.tif 000025
2004524551.tif 000026
2004524551.tif 000027
2004524551.tif 000028
2004524551.tif 000029
2004524551.tif 000030
2004524551.tif 000031
2004524551.tif 000032
2004524551.tif 000033
2004524551.tif 000034
2004524551.tif 000035
2004524551.tif 000036
2004524551.tif 000037
2004524551.tif 000038
2004524551.tif 000039
2004524551.tif 000040
2004524551.tif 000041
2004524551.tif 000042
2004524551.tif 000043
2004524551.tif 000044
2004524551.tif 000045
2004524551.tif 000046
2004524551.tif 000047
2004524551.tif 000048
2004524551.tif 000049
【国際調査報告】
2004524551.tif 000050
2004524551.tif 000051
2004524551.tif 000052